(57)【要約】【課題】構造が簡素でありながら、耐圧強度に優れ、大きな空隙率を確保できると共に、施工が容易な地下貯水システム用充填部材を提供すること。【解決手段】地下貯水システムの貯水スペース内に、複数個組み立てられて用いられる充填部材Ｆであって、その充填部材Ｆは、上壁部１０と、この上壁部１０の外周縁に沿って形成された周壁部２０とを有する下方開口状であり、かつ、前記周壁部２０は、上下に組み立てられたときに下の他の充填部材の上壁部の上面に載る複数の脚部３０を一体化して備え、さらに、前記充填部材Ｆが熱可塑性樹脂にて一体成形されてなることを特徴とする地下貯水システム用充填部材。【選択図】図１
2008223418.tif 000002
【特許請求の範囲】
【請求項１】
地下貯水システムの貯水スペース内に、複数個組み立てられて用いられる充填部材であって、
その充填部材は、他の充填部材に上載可能であると共に、互いに隣接して連結可能であり、かつ前記貯水スペース内の水を流通させる複数の通水開口を有する内部中空の柱型であり、
前記柱型は、上壁部と、該上壁部の外周縁に沿って形成された周壁部と、該周壁部の下端縁に沿って形成された下壁部とで構成されて下方に開口しており、
前記上壁部は、前記通水開口を有するプレート部と、該プレート部の内側下面に設けられたリブ構造部とで構成され、
前記周壁部は、周方向に複数箇所が内側へ陥没して形成された脚部と、この脚部を除く残部を形成する前記通水開口を有する通水壁部とで構成され、
前記周壁部の一部を構成する前記脚部は底部を有し、この底部は他の充填部材の上壁部に位置決めした状態で上載可能であり、
前記下壁部は、隣接する他の充填部材の下壁部と連結可能な係合部を有し、
さらに、前記充填部材が熱可塑性樹脂にて一体成形されてなることを特徴とする地下貯水システム用充填部材。
【請求項２】
前記柱型の充填部材は、多角形柱形であって、前記多角形柱形の周壁部の複数の面のうち任意の複数面に前記脚部が配置されている請求項１に記載の地下貯水システム用充填部材。
【請求項３】
前記上壁部は、平面的に見て、正方形の一対の対角に相当する一対の角部と、前記正方形の他の一対の対角を直線または凹曲線状に面取りしたように形状された一対の面取り辺部とを有し、
前記周壁部は、上壁部の前記一対の角部と連設する一対のコーナー部と、上壁部の前記一対の面取り辺部と連設する一対の面取り部とを有し、
前記脚部は、前記一対のコーナー部の近傍位置であって各コーナー部を挟むように４箇所配置されており、
前記下壁部は、平面視正方形であり、かつ前記一対の面取り部と連設する一対の水平壁部を有し、
一の充填部材を他の充填部材に対して垂直軸心廻りに９０°回転した状態で重畳して組み立てたときに、前記一の充填部材の脚部の底部および前記水平壁部が、前記他の充填部材の上壁部における４つの辺および一対の角部に上載する請求項２に記載の地下貯水システム用充填部材。
【請求項４】
前記上壁部は、平面的に見て、正方形の一対の対角に相当する一対の角部と、前記正方形の他の一対の対角を直線または凹曲線状に面取りしたように形状された一対の面取り辺部とを有し、
前記周壁部は、上壁部の前記一対の角部と連設する一対のコーナー部と、上壁部の前記一対の面取り辺部と連設し通水開口を有さない一対の面取り部とを有し、
前記脚部は、前記一対のコーナー部の近傍位置であって各コーナー部を挟むよう４箇所に配置された第１脚部と、前記一対の面取り部を含んでなる第２脚部とからなり、
前記下壁部は、平面視正方形であり、
一の充填部材を他の充填部材に対して垂直軸心廻りに９０°回転した状態で重畳して組み立てたときに、前記一の充填部材の第１脚部および第２脚部の底部が、前記他の充填部材の上壁部における４つの辺および一対の角部に上載する請求項２に記載の地下貯水システム用充填部材。
【請求項５】
前記周壁部は上方へ向かうにつれて内側へ傾斜するテーパー状に形成された請求項１〜４のいずれか１つに記載の地下貯水システム用充填部材。
【請求項６】
前記リブ構造は、上壁部の中央位置に配置された前記通水開口から放射状に延びたランナーリブを有する請求項１〜５のいずれか１つに記載の地下貯水システム用充填部材。
【請求項７】
前記リブ構造が、積み重ねたときに他の充填部材の上壁部の上面に当接可能な突出部を有する請求項５に記載の地下貯水システム用充填部材。
【請求項８】
前記係合部が、前記下壁部を上下方向に貫通する連結用孔であり、該連結用孔が下壁部の４つの辺にそれぞれ１つ以上配置されている請求項１〜７のいずれか１つに記載の地下貯水システム用充填部材。
【請求項９】
比重が１．０以上の熱可塑性樹脂組成物からなる請求項１〜８のいずれか１つに記載の地下貯水システム用充填部材。
【発明の詳細な説明】
【技術分野】
【０００１】
本発明は、地下貯水システム用充填部材に関する。
【背景技術】
【０００２】
近年、雨水を地下に貯留して工業用水、農業用水、生活用水等に雨水を利用するため、あるいは大雨時の河川の氾濫を防止するために雨水を一時的に貯留するために、公園や駐車場等の地下に地下貯水システムが設けられている。
この地下貯水システムは、設置場所の地面を掘削して形成した凹所に、透水性シートおよび／または遮水性シートを敷き、シート上に複数個の充填部材を複数層に組み立てて充填部材組立て構造を形成すると共に、送水管や取水管を凹所に引き込み、充填部材組立て構造の周囲をシートにて被覆して土砂を埋め戻し、地上を公園や駐車場等に整備するといった手順により施工される。
【０００３】
この充填部材は、一般的に熱可塑性樹脂にて成形されており、地下貯水システムの貯水容量（空隙率）をできるだけ多く確保できること、施工（組み立て）が容易であること、充填部材組立て構造が規定以上の耐圧強度を確保できること等を考慮して各種形状のものが提案されている。
例えば、特許文献１には、複数個の孔部をそれぞれ有する底面と周側板からなる容器状充填部材が、前後左右上下に複数個組み立てられて充填部材組立て構造が形成される旨記載されている。
また、特許文献２および３には、断面形状が連続する略山形の充填部材であって、複数個の充填部材を稜線方向を同じにして複数列並列して一層目を形成し、一層目の稜線方向と交差する稜線方向で２層目の充填部材を複数列並列し、このように上下に隣接する充填部材層は稜線方向が交差するようにして複数層組み立てられることにより、充填部材組立て構造が形成される旨記載されている。
【０００４】
また、特許文献４の図１２には、上付きおよび下付き嵌合凹部を有する下壁部材と、連結支柱とを備え、連結支柱の両端に上下段の下壁部材の嵌合凹部を嵌め込んで充填部材組立て構造を形成する旨記載され、図１３には基板部の一面に４本の筒部が立設され、対角線上の２つの筒部先端面に凸部を有し、他の対角線上の筒部先端面に凹部を有する充填部材を備え、一対の充填部材の筒部同士を突合せて組み立てる充填部材組立て構造が記載され、図１４には前記図１２の連結支柱と下壁部材が一体となった充填部材が記載されている。
【特許文献１】特開昭６３−２６８８２３号公報
【特許文献２】特開平１１−３６３８３号公報
【特許文献３】特開２００１−３２３３４号公報
【特許文献４】特開２００４−５２２４３号公報
【発明の開示】
【発明が解決しようとする課題】
【０００５】
このような従来の地下貯水システム用の充填部材は、形状が複雑であると成形する金型の作製に手間とコストがかかり、よって充填部材の作製コストが高くなるため、耐圧強度、空隙率および施工性を確保しつつ簡素な形状であることが望まれている。
本発明は、構造が簡素でありながら、耐圧強度に優れ、施工が容易な地下貯水システム用充填部材を提供するものである。
【課題を解決するための手段】
【０００６】
かくして、本発明によれば、地下貯水システムの貯水スペース内に、複数個組み立てられて用いられる充填部材であって、その充填部材は、他の充填部材に上載可能であると共に、互いに隣接して連結可能であり、かつ前記貯水スペース内の水を流通させる複数の通水開口を有する内部中空の柱型であり、前記柱型は、上壁部と、該上壁部の外周縁に沿って形成された周壁部と、該周壁部の下端縁に沿って形成された下壁部とで構成されて下方に開口しており、前記上壁部は、前記通水孔を有するプレート部と、該プレート部の内側下面に設けられたリブ構造部とで構成され、前記周壁部は、周方向に複数箇所が内側へ陥没して形成された脚部と、この脚部を除く残部を形成する前記通水開口を有する通水壁部とで構成され、前記周壁部の一部を構成する前記脚部は底部を有し、この底部は他の充填部材の上壁部に位置決めした状態で上載可能であり、前記下壁部は、隣接する他の充填部材の下壁部と連結可能な係合部を有し、さらに、前記充填部材が熱可塑性樹脂にて一体成形されてなる地下貯水システム用充填部材が提供される。
【発明の効果】
【０００７】
本発明の地下貯水システム用充填部材によれば、周壁部に脚部を一体化することで、簡素な構造でありながら、熱可塑性樹脂にて一体成形されたものであるため、地下貯水システムに必要な耐圧強度を十分確保しながら大きな空隙率を得ることができ、かつ低コストにて容易に製造することができる。
また、上下に組み立てられた状態において、上の充填部材は下の充填部材に位置決めした状態で上載するので、上の充填部材が下の充填部材に対して横滑りや回転するのを確実に防止でき、安定した組立状態を保持することができる。
【発明を実施するための最良の形態】
【０００８】
＜充填部材の構造の説明＞
本発明の地下貯水システム用充填部材は、地下貯水システムの貯水スペース内に、複数個組み立てられて用いられる充填部材であって、その充填部材は、他の充填部材に上載可能であると共に、互いに隣接して連結可能であり、かつ前記貯水スペース内の水を流通させる複数の通水開口を有する内部中空の柱型であり、前記柱型は、上壁部と、該上壁部の外周縁に沿って形成された周壁部と、該周壁部の下端縁に沿って形成された下壁部とで構成されて下方に開口しており、前記上壁部は、前記通水孔を有するプレート部と、該プレート部の内側下面に設けられたリブ構造部とで構成され、前記周壁部は、周方向に複数箇所が内側へ陥没して形成された脚部と、この脚部を除く残部を形成する前記通水開口を有する通水壁部とで構成され、前記周壁部の一部を構成する前記脚部は底部を有し、この底部は他の充填部材の上壁部に位置決めした状態で上載可能であり、前記下壁部は、隣接する他の充填部材の下壁部と連結可能な係合部を有し、さらに、前記充填部材が熱可塑性樹脂にて一体成形されてなることを特徴とする
【０００９】
本発明において、前記脚部は、周壁部の一部が内側へ凹状に陥没することにより形成されたもの、例えば周壁部の一部を上下方向に延びる半円筒形、半楕円筒形、半長円筒形、半角筒形等の半筒形にへこませた形状とすることができ、それに加え、充填部材が多角形柱形の場合は周壁部のコーナー部を面取りすることにより内側へ陥没させて脚部とすることができる。このようすれば、充填部材に必要な鉛直圧縮強度および水平圧縮強度を確保しながら脚部を周壁部と同一の厚さに容易に形成することができる。また、脚部が内側へ陥没して形成されているので、複数の充填部材を上下に隣接して組み立てたときに上側の充填部材の脚部を下側の充填部材の上壁部の上面に載せる構造として合理的である。
【００１０】
さらにこの場合、周壁部は、上方へ向かうにつれて内側へ傾斜するテーパー状に形成されていてもよい。このように構成することにより、複数の充填部材をコンパクトに積み重ねることができ、複数個の充填部材を嵩張らずに保管、運搬することができる。
周壁部の鉛直線に対するテーパー角度としては０°超〜１０°程度、好ましくは５°程度に設定でき、さらに凹状の脚部では３°程度が好ましい。周壁部および脚部のテーパー角度は、充填部材を射出成形する場合における金型からの抜き勾配、保管・運搬時の積み重ね性、使用する際の組み立て性、圧縮強度などを考慮して設定される。なお、充填部材をこのようにコンパクトに積み重ねることを考慮しない場合、製造上、周壁部のテーパ角度を０°にすることも可能である。
【００１１】
本発明において、下壁部は、上下に組み立てた上の充填部材を下の充填部材に対して横滑りや回転を防止して位置決めさせる機能の他、鉛直方向および水平方向からの圧縮力に対して周壁部を補強する機能、最下段の充填部材を安定して設置し、かつその上に組み立てられる充填部材や土砂などの荷重を支える土台となる機能、および複数の充填部材を前後左右に並べて敷設する際に、充填部材同士を当接させて連結するための機能を有する。
【００１２】
上記構成の充填部材において、上壁部および周壁部の形状、脚部の数および位置は、特に限定されるものではないが、例えば以下の（１）および（２）の立方体型あるいは（３）および（４）の六角柱型のように構成することができる。
【００１３】
（１）上壁部は、平面的に見て、正方形の一対の対角に相当する一対の角部と、前記正方形の他の一対の対角を直線または凹曲線状に面取りしたように形状された一対の面取り辺部とを有し、周壁部は、上壁部の前記一対の角部と連設する一対のコーナー部と、上壁部の前記一対の面取り辺部と連設する一対の面取り部とを有し、脚部は、前記一対のコーナー部の近傍位置であって各コーナー部を挟むように４箇所配置されており、下壁部は、平面視正方形であり、かつ前記一対の面取り部と連設する一対の水平壁部を有する。
このような充填部材によれば、下側の他の充填部材に対して垂直軸心廻りに９０°回転した状態で組み立てられたときに前記他の充填部材の上壁部における一対の角部に前記一対の水平壁部が載るように構成され、組立状態がより安定し、かつ鉛直圧縮強度および水平圧縮強度をより高めることができる。
【００１４】
（２）上壁部は、平面的に見て、正方形の一対の対角に相当する一対の角部と、前記正方形の他の一対の対角を直線または凹曲線状に面取りしたように形状された一対の面取り辺部とを有し、前記周壁部は、上壁部の前記一対の角部と連設する一対のコーナー部と、上壁部の前記一対の面取り辺部と連設し通水開口を有さない一対の面取り部とを有し、前記脚部は、前記一対のコーナー部の近傍位置であって各コーナー部を挟むよう４箇所に配置された第１脚部と、前記一対の面取り部を含んでなる第２脚部とからなり、前記下壁部は、平面視正方形である。
このような充填部材によれば、一の充填部材を他の充填部材に対して垂直軸心廻りに９０°回転した状態で重畳して組み立てたときに、前記一の充填部材の第１脚部および第２脚部の底部が、前記他の充填部材の上壁部における４つの辺および一対の角部に上載するように構成され、組立状態がより安定し、かつ鉛直圧縮強度および水平圧縮強度をさらに一層高めることができる。
【００１５】
（３）上壁部を正六角形とし、平面的に見て６つの辺のうち隣接しない３つの辺の部分（好ましくは辺の中央）に脚部を配置した構造とすることもできる。この場合、脚部は合計３本となり、充填部材を上下に組み立てる際は、下の充填部材に対して上の充填部材を垂直軸心廻りに６０°回転させて組み立てる。このように構成しても、上の充填部材の脚部が下の充填部材の上壁部上面に載り、また上の充填部材の周壁部の下端縁に沿って設けられた下壁部が下の充填部材の周壁部と嵌合するため、上の充填部材の下の充填部材に対する横滑りや回転が防止され、上の充填部材の脚部が下の充填部材の上壁部上面に載った状態を位置決めすることができる。
【００１６】
（４）上壁部を正六角形とし、平面的に見て６つの角部のうち隣接しない３つの角部の両側近傍に脚部を配置した構造とすることもできる。この場合、脚部は合計６本となり、充填部材を上下に組み立てる際は、下の充填部材に対して上の充填部材を垂直軸心廻りに６０°回転させて組み立てる。このように構成しても、前記（２）と同様の作用効果が得られる。
【００１７】
また、上壁部のリブ構造は、中央位置に配置された通水開口から放射状に延びたランナーリブを有しているものとすることが好ましい。このようにすれば、充填部材を射出成形する場合に、充填部材の射出成形時の放射状ランナー部分の樹脂が成形後に前記放射状のランナーリブとなり、ランナー部分の樹脂を製品の一部にできる。これによって多点ゲートでなく、放射状ランナーの中心を１点ゲートとする射出成形を行うことができる。
【００１８】
また、前記リブ構造には、充填部材を上下にコンパクトに積み重ねたときに、下の充填部材の上壁部の上面に当接可能な突出部を有することが好ましい。このようにすれば、リブ構造によって上壁部を補強する効果の他に、積み重ねた充填部材同士が強固に嵌まり込んで抜けなくなる不具合を回避でき、かつこのような不具合を防止するための周壁部へのエンボス加工を省略できる利点も得られる。
このような構成の充填部材は、厚みが０．５〜５ｍｍ程度の範囲に、かつほぼ均一な厚みで形成することができる。
【００１９】
＜熱可塑性樹脂の説明＞
本発明において、充填部材の材料である熱可塑性樹脂としては特に限定されるものではないが、ポリエチレン（比重：0.910〜0.965）、ポリプロピレン（比重：0.90）、ポリ塩化ビニル（比重：1.45）、ポリエチレンテレフタレート（ＰＥＴ（比重：1.33〜1.34））、あるいはこれらの廃（再生）プラスチック等を用いることができ、中でも比重が１．０以上のものが好ましく、省資源および環境保護の観点から廃プラスチックがさらに好ましく、特に、近年大量に生産され、リサイクルが求められている廃ＰＥＴを用いることが望ましい。なお、比重が１．０以上の熱可塑性樹脂（組成物）の使用が好ましい理由は、充填部材の組み上げの施工途中で敷設場所に雨水が溜まった場合の充填部材の浮き上りを防止することにある。
【００２０】
廃ＰＥＴを用いる場合、廃ＰＥＴを再生したＰＥＴ再生樹脂のみでは充填部材として十分な耐圧強度（耐衝撃性）を得難いため、ＰＥＴ再生樹脂にポリエステル樹脂、結晶核剤および熱可塑性エラストマーを混合した熱可塑性樹脂を用いることが好ましい。
【００２１】
・ＰＥＴ再生樹脂
ＰＥＴ再生樹脂は、ＰＥＴを成形して得られる飲料ボトル、すなわちＰＥＴボトルが、再度利用するために回収され、処理されたものが好ましい。この処理品は、通常、ＰＥＴ再生材やリサイクルＰＥＴと称されるものである。ＰＥＴボトルは、近年大量に回収され、最も再生が望まれるものである。このＰＥＴ再生樹脂は、繊維、フィルム又はコンテナー等の大型成形品等の製品として成形されたもの、実際に製品として使用されなくても、製品を製造する上で発生するフィルムの端材、射出成形品のゲート及びランナー部材等のＰＥＴ樹脂を回収及び処理したものでも構わない。ＰＥＴ再生樹脂の形状は、特に限定されないが、成形時の溶融性を高めるためにできるだけ細かいことが好ましい。
【００２２】
・ポリエステル樹脂
ポリエステル樹脂としては、シュウ酸、コハク酸、グルタル酸、アジピン酸、ピメリン酸、スベリン酸、アゼライン酸、セバシン酸、ドデカン二酸等の脂肪族ジカルボン酸又はテレフタル酸、イソフタル酸、オルトフタル酸等の芳香族ジカルボン酸と、エチレングリコール、１，３−プロパンジオール、１，４−ブタンジオール、ネオペンチルグリコール、１，５−ペンタンジオール、３−メチル−１，５−ペンタンジオール、１，６−ヘキサンジオール、１，９−ノナンジオール等の脂肪族ジオール、シクロヘキサン−１，４−ジメタノール等の脂環式ジオール及びテトラメチレングリコール等のエーテル系ジオール等との縮合反応により得られるポリエステル樹脂及び、ポリエステル樹脂とラクトン類とを共重合したラクトン変性ポリエステル樹脂、３−ヒドロキシブチレートと３−ヒドロキシバリレートの共重合樹脂等が用いられる。
これらの脂肪族ジカルボン酸及び芳香族ジカルボン酸は２種以上を混合して使用してもよい。また、ジオール類においても２種以上を混合して使用することができる。なかでも好ましいポリエステル樹脂は芳香族ポリエステル樹脂であり、より好ましくはポリエチレンテレフタレートである。
【００２３】
ポリエステル樹脂の分子量は、数平均分子量で１，０００〜５００，０００、好ましくは５，０００〜２００，０００、さらに好ましくは１０，０００〜１００，０００である。数平均分子量が１，０００未満ではＰＥＴ再生樹脂の成形加工性を改良する効果が不十分であり、また５００，０００より大きいとＰＥＴ再生樹脂への溶融混練が困難となるので好ましくない。ここで示す数平均分子量とは液体クロマトグラフを用いて測定した数平均分子量である。
脂肪族及び芳香族ポリエステル樹脂は公知の方法で製造することができる。例えばジカルボン酸の低級アルコールエステルと過剰量のグリコールを触媒の存在下でエステル交換反応せしめ得られる反応生成物を重縮合する方法が挙げられる。あるいはジカルボン酸と過剰量のグリコールを触媒の存在下でエステル化反応せしめ得られる反応生成物を重縮合する方法が挙げられる。反応温度は好ましくは１８０〜２９０℃で、より好ましくは２００〜２８０℃である。重縮合触媒としてはチタン化合物、アンチモン化合物、スズ化合物、カルシウム化合物、マンガン化合物等を挙げることができる。これらの触媒の使用量は、出発原料に対して、好ましくは０．１〜１，０００ｐｐｍ、より好ましくは０．５〜５００ｐｐｍである。
【００２４】
・結晶核剤
結晶核剤は、ＰＥＴに対する核剤作用を有するものを意味する。例えば、タルクのような無機微粒子、有機カルボン酸のアルカリ金属塩やアルカリ土類金属塩、及びカルボキシル基を有する有機重合体のアルカリ金属塩やアルカリ土類金属塩等が挙げられる。これらの結晶核剤は、単独又は２種以上併用してもよい。より具体的には、安息香酸ナトリウム、安息香酸カリウム、安息香酸カルシウム、ｐ−ブチル安息香酸ナトリウム、ｐ−ブチル安息香酸カリウム、ｐ−ブチル安息香酸カルシウム、ステアリン酸ナトリウム、ステアリン酸カリウム、ステアリン酸カルシウム、モンタン酸ナトリウム、モンタン酸カリウム、モンタン酸カルシウム、パルミチン酸ナトリウム、パルミチン酸カリウム、パルミチン酸カルシウム、エチレン−メタクリル酸の共重合体のナトリウム塩、エチレン−メタクリル酸の共重合体のカリウム塩、エチレン−メタクリル酸の共重合体のカルシウム塩、テレフタル酸ナトリウム、テレフタル酸リチウム等の有機カルボン酸のアルカリ金属又はアルカリ土類金属塩が挙げられる。
【００２５】
更に、α−オレフィンとα、β−不飽和カルボン酸塩とからなるイオン性共重合体の一価又は二価の金属塩、中性粘土類のタルク、酸化亜鉛、酸化マグネシウム、硫酸カルシウム、硫酸バリウム、ケイ酸カルシウム等のアルカリ土類金属の酸化物、硫酸塩又はケイ酸塩等が挙げられる。
更にまた、有機カルボン酸と一分子中に一個又は二個の水酸基をもつアルコール、あるいはアルコール誘導体との反応により得られるエステル化合物も使用できる。具体的には、長鎖の脂肪族カルボン酸と長鎖の脂肪族アルコールの反応物、例えばステアリン酸ノニル、ステアリン酸ステアリル、ベヘニン酸ステアリル、ベヘニン酸ベヘニル等の高沸点のエステル、炭素数７以上の芳香族又は脂肪族カルボン酸とポリアルキレングリコールとの反応物、例えばポリエチレングリコールジステアレート、ポリエチレングリコールジベンゾエート、ポリプロピレングリコールジベンゾエート、ポリエチレングリコールポリプロピレングリコールブロック共重合体のジベンゾエート等が挙げられ、更に、２−エチルヘキシルグリシジルエーテル、ラウリルグリシジルエーテル、トリデシルグリシジルエーテル、ステアリルグリシジルエーテル、ポリエチレングリコールモノフェニルモノグリシジルエーテル、ポリプロピレングリコールモノフェニルモノグリシジルエーテル、ポリエチレングリコールモノラウリルモノグリシジルエーテル、ポリエチレングリコールモノステアリルモノグリシジルエーテル等が挙げられる。
これら以外にも、長鎖のアルキル基をもつアルコールのグリシジルエーテル又はポリオキシアルキレン鎖を含むモノグリシジルエーテル等のエポキシ化合物が挙げられる。これらの内、有機カルボン酸のアルカリ金属塩、カルボキシル基を有する有機重合体のアルカリ金属塩が好ましい。
【００２６】
・熱可塑性エラストマー
熱可塑性エラストマーとしては、例えば、ＡＢＳ樹脂、エチレン−アルキルアクリレート共重合体、ポリブタジエン、ＳＢＲ、ＥＰＤＭ、ＥＶＡ、ポリアクリル酸エステル、ポリイソプレン、水添イソプレン、アクリル系エラストマー、ポリエステル・ポリエーテルコエラストマー、ＰＡ系エラストマー、エチレン・ブテン１共重合体、スチレン・ブタジエンブロック共重合体、エポキシ変性スチレン−ブタジエン共重合体、エポキシ基含有オレフィン系共重合体、水素化スチレン・ブタジエンブロック共重合体、エチレン・プロピレン共重合体、熱可塑性ポリエステルエラストマー、水添ＳＥＢＳエラストマー、エチレン−αオレフィンコポリマー、プロピレン−αオレフィンコポリマー、エチレンメタクリル酸系特殊エラストマー、ＭＢＳ系エラストマー等が挙げられる。これら熱可塑性エラストマーは２種以上混合してもよい。エチレン−アルキルアクリレート共重合体中、アルキルは、メチル、エチル、プロピル、ブチル等が挙げられる。また、エポキシ基含有オレフィン系共重合体としては、エチレン−グリシジルメタクリレート共重合体、エチレン−メチルアクリレート−グリシジルメタクリレート共重合体、エチレン−グリシジルメタクリレート−酢酸ビニル共重合体等が挙げられる。
【００２７】
・各成分の配合量
（ａ）ＰＥＴ再生樹脂とそれ以外の成分の割合（重量部）は９８〜２：２〜９８、（ｂ）ポリエステル樹脂と熱可塑性エラストマーの割合（重量部）は９０〜１０：１０〜９０、（ｃ）結晶核剤の割合（重量部）はポリエステル樹脂と熱可塑性エラストマーの合計量を１００重量部として０．１〜１０とすることができる。
【００２８】
なお、（ａ）において、ＰＥＴ再生樹脂が９８重量部より多いと、ＰＥＴ再生樹脂成形品の耐熱性等の改良効果が少なく、２重量部未満になると再生品を使用する効果がなくなるため好ましくない。ＰＥＴ再生樹脂を９５〜１０重量部配合することは、耐熱性を改良する点で特に効果的である。特に好ましくは、ＰＥＴ再生樹脂９５〜２０重量部に対して、それ以外の成分を５〜８０重量部配合することである。
また、（ｂ）において、熱可塑性エラストマーが１０重量部未満では、ＰＥＴ再生樹脂成形品の衝撃改良の効果が低いので好ましくなく、９０重量部より多いと、ＰＥＴ再生樹脂と熱可塑性エラストマーの相溶性が悪くなり、剥離が生じやすいので好ましくない。より好ましい配合割合は、ポリエステル樹脂８０〜２０重量部に対して、熱可塑性エラストマーを２０〜８０重量部である。
また、（ｃ）において、結晶核剤が０．１重量部未満では、結晶化が促進されないので好ましくなく、１０重量部より多くなると得られる成形品の物性低下が生じるので好ましくない。より好ましい配合割合は、ポリエステル樹脂と熱可塑性エラストマーの合計量１００重量部に対して、０．３〜３重量部であり、特に好ましい配合割合は、０．５〜２重量部である。なお、原料のＰＥＴ再生樹脂に結晶核剤が含まれている場合は、その量を考慮して新たに添加される結晶核剤の量を調整することが好ましい。
【００２９】
また、上述のＰＥＴ再生樹脂、ポリエステル樹脂、結晶核剤および熱可塑性エアラストマーを用いたＰＥＴ再生樹脂混合材料は、射出成形による成形品に所望される品質を損ねない程度に他の熱可塑性樹脂、樹脂添加剤、無機化合物等の他の成分を更に含んでいてもよい。
他の熱可塑性樹脂としては、低密度ポリエチレン、高密度ポリエチレン、ポリプロピレン、ポリビニルアルコール、ポリブタジエン、ポリメチルペンテン−１、ポリブテン−１、ポリペンテン−１及びこれらの共重合体等を含むポリオレフィン樹脂、ポリスチレン等のスチレン系樹脂、アクリル系樹脂、ポリカーボネート、ポリフェニレンオキサイドやポリフェニレンサルファイド等のエンジニアリングプラスチック等の樹脂等を挙げることができる。
【００３０】
また、樹脂添加剤としては、安定剤、着色剤、酸化防止剤、紫外線吸収剤、可塑剤、滑剤、静電気防止剤、増量剤等が挙げられる。
さらに、無機化合物としては、酸化チタン、炭酸カルシウム、タルク、水酸化アルミニウム、水酸化マグネシウム、酸化亜鉛、黒鉛等を挙げることができる。
これら他の熱可塑性樹脂、樹脂添加剤及び無機化合物は、そのうちから選ばれる１種又は２以上を混合することができる。これら他の成分は、上記ＰＥＴ再生樹脂、ポリエステル樹脂、結晶核剤及び熱可塑性エラストマーの合計量１００重量部に対して、好ましくは０．１〜５０重量部、１〜３０重量部配合することがより好ましい。なお、樹脂添加剤及び無機化合物は、ポリエステル樹脂、熱可塑性エラストマーや他の熱可塑性樹脂に添加しておくこともできる。
【００３１】
・充填部材の成形方法
本発明の充填部材は、通常、公知の方法で製造される。例えば、ＰＥＴ再生樹脂、ポリエステル樹脂、結晶核剤、熱可塑性エラストマー、及び必要に応じて他の熱可塑性樹脂、樹脂添加剤及び無機化合物を、エクストルーダー、ニーダー、ロールあるいはバンバリーミキサー中で溶融混練し、射出成形機で成形する方法、あるいは、前記各成分を均一に機械的に混合したあと、直接射出成形機で溶融混練と同時に成形する方法等が挙げられる。
以下、本発明の充填部材の実施形態を図面を参照しながら詳説する。
【００３２】
（実施形態１）
図１は本発明の充填部材の実施形態１の斜視図であり、図２（ａ）は図１の充填部材の平面図、図２（ｂ）は正面図、図２（ｃ）は底面図である。
この充填部材Ｆは、上壁部１０と、この上壁部１０の外周縁に沿って形成された周壁部２０とを有する下方開口状であり、周壁部２０は４本の脚部３０を一体化して有している。
【００３３】
具体的に説明すると、この充填部材Ｆは、熱可塑性樹脂を材料として射出成形により、ほぼ均一な厚み（例えば３ｍｍ程度）で一体成形されたものである。
上壁部１０は、複数の通水開口１３を有するプレート部とその下面のリブ構造とを有してなり、プレート部は平面的に見て、正方形の一対の対角に相当する一対の角部１１と、前記正方形の他の一対の対角を面取りしたように形状された一対の面取り辺部１２とを有する。
【００３４】
上壁部１０のリブ構造は、中央位置の通水開口１３から十字状に延びる４本のランナーリブ１４と、それら以外のリブ１５とを有してなる。ランナーリブ１４は、射出成形時のランナー部分の樹脂がそのまま残されたものであり、ランナーリブ１４の十字の交点位置が射出成形時の１点ゲートの位置に相当している。
また、リブ１５において、脚部３０と接する部分は高さ６７ｍｍ程度の突出部１５ａとなっており、他の部分よりやや高くなっている（図３（ｂ）参照）。この突出部１５ａの機能については後述する。
【００３５】
周壁部２０は、上壁部１０の前記一対の角部１１と連設する一対のコーナー部２１と、上壁部１０の前記一対の面取り辺部１２と連設する一対の面取り部２２とを有し、全体的に上方へ向かって内側へ傾斜するテーパー状に形成されている。周壁部２０の鉛直線に対するテーパー角度θ1は約５°である。
【００３６】
脚部３０は、周壁部２０の一部が内側へ凹状に陥没することにより半筒形に形成されており、その下端には底部３１を有すると共に、上端は開口部３２となっている。したがって、上壁部１０は、脚部３０が配置された部分が開口部３２によって内側へ切り欠かれた形状となっている。脚部３０の鉛直線に対するテーパー角度θ2は約３°である。
４本の脚部３０は、前記一対のコーナー部２１の近傍位置であって各コーナー部２１を挟むように４箇所に配置されている。また、周壁部２０における４本の脚部３０を除く領域は、複数の矩形スリット状の通水開口２３を有する通水壁部となっている。
【００３７】
また、周壁部２０は、下端縁に沿って下壁部４０を有している。この下壁部４０は、図４に示すように、複数の充填部材が上下に隣接して組み立てられたときに、上の充填部材Ｆ１の下壁部４０が下の充填部材Ｆ２の周壁部２０と嵌合して位置決めされる機能を有する。
本実施形態１の場合、下壁部４０は、周壁部２０の下端縁が正方形であると見なした場合にその下端縁に沿って形成された正方形の枠であり、全体的に周壁部２０よりも外側に突出しているが、内側には部分的に複数の突起部４１が設けられている。具体的には、図２（ｃ）に示すように、４本の脚部３０の底部３１の下面外側にストレート形の突起部４１が配置されると共に、周壁部２０の一対の面取り部２２の位置にＬ字形の突起部４１が配置されている。これら突起部４１を含む下壁部４０の高さ分だけ、脚部３０の底部３１は上方に位置している。
【００３８】
さらに、下壁部４０は、その一対のＬ字形突起部４１の部分に、周壁部２０の一対の面取り部２２と連設する一対の三角形水平壁部４２を有している。この水平壁部４２の高さは脚部３０の底部３１の高さと同一である。なお、水平壁部４２の上面と周壁部２０の面取り部２２との間には三角形リブが設けられている。
この下壁部４０は、その内部が上方および下方に開放した中空状であり、内部には複数のリブが設けられると共に、各辺における下面には少なくとも１箇所に係合部を有している。この係合部は、リブとリブの間に設けられた切欠き凹部４３と、切欠き凹部４３に形成された上下方向の連結用孔４４とからなる。この連結用孔４４には後述の連結具が差し込まれて横に隣接する充填部材同士が連結される。なお、切欠き凹部４３および連結用孔４４の形成位置は、下壁部４０の１つの辺とそれに対向する辺について同じ位置とされる。
【００３９】
このように構成された充填部材Ｆのサイズは、例えば、下壁部４０が５００ｍｍ×５００ｍｍ、下壁部４０の下面から上壁部１０の上面までの高さが３５０ｍｍ、下壁部４０の高さである下壁部４０の下面から脚部３０の底部３１の下面までの高さが２５ｍｍに設定でき、このようなサイズの場合、前後左右に４個の充填部材を隣接して並べ、これを３段積みで組み立てることにより、１ｍ3当りの貯水スペースに１２個の充填部材が使用される。なお、充填部材のサイズはこれに限定されるものではない。
【００４０】
次に、このように構成された充填部材を上下に組み立てる場合について説明する。
図３は２個の充填部材を上下に組み立てた状態であって、図３（ａ）における下の充填部材は正面を示し、図３（ａ）における上の充填部材は右側面を示し、図３（ｂ）は図３（ａ）の断面図であって、図３（ｂ）における下の充填部材は図２（ａ）のＡ−Ａ線で切断した断面構造を示し、図３（ｂ）における上の充填部材は図２（ａ）のＢ−Ｂ線で切断した断面構造を示している。また、図４は２個の充填部材を上下に組み立てた状態であって、下の充填部材は図２（ａ）のＣ−Ｃ線で切断した断面構造を示し、上の充填部材は図２（ａ）のＤ−Ｄ線で切断した断面構造を示している。
【００４１】
図２〜図４に示すように、上の充填部材Ｆ１は、下の充填部材Ｆ２に対して垂直軸心廻りに９０°回転した状態とされて下の充填部材Ｆ２に上載される（積み上げられる）。このとき、上の充填部材Ｆ１において、各脚部３０の底部３１が下の充填部材Ｆ２の上壁部１０の脚部に隣接した領域に載り、一対の水平壁部４２が下の充填部材Ｆ２の上壁部１０の角部１１に載る。また、上の充填部材Ｆ１の下壁部４０の各突起部４１の内面が、下の充填部材Ｆ２の周壁部２０の脚部に隣接した領域および一対のコーナー部２１と対面乃至当接し、上の充填部材Ｆ１の下壁部４０が下の充填部材Ｆ２の周壁部２０に嵌合する。したがって、上の充填部材Ｆ１は下の充填部材Ｆ２に対して鉛直軸心廻りの回転および横滑りしない。なお、図２〜図４では、充填部材を上下２段で組み立てた場合を例示したが、３段以上の場合も同様に１つ下の段の充填部材に対して９０°回転させた状態で組み立てる。
【００４２】
また、複数の充填部材を横に並べて敷設する際は、図５および図６に示すように、左右の充填部材Ｆ１、Ｆ２を同じ向きにして下壁部４０、４０同士を当接させて並べ、隣接した下壁部４０、４０の対向する連結用孔４４、４４にＵ字型の連結具５０を上方から差し込み係合させることにより、隣接する充填部材Ｆ１、Ｆ２を連結する。
図７に示すように、この連結具５０は、樹脂または金属にて形成されており、帯状片をＵ字形に曲げ、かつ両端を内側へ折り返して係止部５１を形成した形状である。連結具５０の係止部５１、５１は、各下壁部４０の連結用孔４４、４４を抜けて切欠き凹部４３、４３の下壁部周縁に係合する。この切欠き凹部４３によって係止部５１が下壁部４０よりも下に突出することがないので、最下段の充填部材を設置面に安定して敷設することができると共に、荷重により係止部５１が折損して連結具５０による連結が損なわれることもない。
【００４３】
なお、図５および図６では、充填部材を左右に連結した場合を例示したが、前後に連結する場合も充填部材を同じ向きに並べて連結する。また、このような要領で前後左右に１段目の充填部材を複数個敷設した後は、上述のように２段目以上の充填部材を組み立てていけばよい。このとき、下の段の充填部材の上壁部が作業者の足場となるが、上壁部には作業者が躓くような突起物がなくフラットであるため安全に組み立て作業を行なうことができる。
【００４４】
また、この充填部材は、図８に示すように、保管や運搬時に嵩張らないよう複数個積み重ねること（スタッキング）ができる。この場合、上の充填部材Ｆ１を下の充填部材Ｆ２と同じ向きにすることにより、上の充填部材Ｆ１の脚部３０が下の充填部材Ｆ２の脚部３０の凹所に入り込んでいき、上の充填部材Ｆ１の上壁部１０の下面にあるリブ１５の突出部１５ａが下の充填部材Ｆ２の上壁部１０に当接する。これにより、重なり合った上下の充填部材Ｆ１、Ｆ２の間に僅かに隙間が形成されて双方が強固に嵌り合うことがないため、使用時には容易に各充填部材を抜き取ることができる。
【００４５】
本発明の充填部材は、図９に示すような一時的に貯水する地下貯水システムＳ１に用いることができる。
この地下貯水システムＳ１は、例えば、システム設置場所の地面を掘り下げて貯水スペースを形成すると共に、雨水を導入する送水管Ｐ１を貯水スペースの上部まで延設し、貯水スペースの底面および内周面を覆うように透水性シート６０（太線部分）を張り、透水性シート６０を張った貯水スペース内に充填部材Ｆを上述の要領で組み上げ、最上段の充填部材Ｆの上壁部の上に板材６１を敷設し、板材６１を透水性シート６０で覆い、その上から土砂を埋め戻すといった方法により施工することができる。なお、図９において、符号Ｇは地面を表している。
【００４６】
また、この地下貯水システムＳ１は、送水管Ｐ１から雨水が導入される以外にも、地中に染み込んだ雨水が透水性シートＳ１を透して貯水スペース内に流入し、かつ貯水スペース内の雨水が透水性シートＳ１を透して地中に染み出るよう構成されている。透水性シートＳ１としては、従来公知のものを使用することができる。
【００４７】
また、本発明の充填部材は、図１０に示すような貯水を利用可能な地下貯水システムＳ２に用いることもできる。
この地下貯水システムＳ２は、例えば、システム設置場所の地面を掘り下げて貯水スペースを形成すると共に、雨水を導入する送水管Ｐ１を貯水スペースの上部まで延設し、かつ貯水スペース内の水を下部から汲み上げる取水管Ｐ２を配管し、貯水スペースの底面および内周面を覆うように遮水性シート６２（太線部分）を張り、その後は図９での説明と同様に施工することができる。なお、図１０において、図９と同一の要素には同一の符号を付している。
【００４８】
このような地下貯水システムＳ１およびＳ２において、充填部材Ｆが前後左右上下（３次元）に組み上げられてなる充填部材組立て構造体は周囲および地面からの土圧、送水時の水圧、地震による３次元的な揺れ等にも十分耐え得る耐圧強度を有している。具体的には、この充填部材組立て構造体は、鉛直圧縮強度が８０ｋＮ／ｍ2以上、好ましくは３００ｋＮ／ｍ2以上、水平圧縮強度が６０ｋＮ／ｍ2以上、好ましくは１２０ｋＮ／ｍ2以上に設定され、充填部材組立て構造を収容する最小容積に対する空隙率は９５％以上、好ましくは９７％以上に設定されている。
【００４９】
なお、図８および図９は本発明における地下貯水システムの一例に過ぎず、本発明における充填部材組立て構造体を用いていれば、送水管および取水管の貯水スペースへの接続構造や、透水性シートや遮水性シートの設置位置などは自由に変更することができ、貯水スペース内のエアー抜きのための配管を設けてもよい。
【００５０】
（実施形態２）
図１１は本発明の充填部材の実施形態２を示す平面図である。
この実施形態２の充填部材は、実施形態１の充填部材における周壁部の面取り部１２（図１、図２等参照）を脚部とした点が異なり、その他の構成は実施形態１と同様である。
つまり、実施形態２の充填部材は脚部の数を実施形態１よりも２つ増加して耐圧強度を高めている。
【００５１】
実施形態２の場合、実施形態１と同様に、周壁部１２０の４つの面に、かつ一対のコーナー部１２１を挟む位置に凹状の第１脚部１３０が設けられると共に、実施形態１の一対の面取り部の位置に第２脚部１３１が設けられている。なお、第１脚部１３０は、実施形態１の脚部３０と同様の構成であるため説明を省略する。
第２脚部１３１は、実施形態１の面取り部よりも内側へ湾曲状に陥没し、かつ通水開口を有さない面取り部１３１ａと、この面取り部１３１ａの下端と下壁部１４０とに連設された底部１３１ｂとからなる。この面取り部１３１ａは、第２脚部１３１の一部を構成すると同時に周壁部１２０の一部も構成しているため、周壁部１２０のテーパー角度で傾斜している。
なお、図１１において、符号１１１は上壁部１１０の角部、符号１１２は上壁部１１０の面取り辺部、符号１３０ａは第１脚部の底部、符号１４４は連結用孔を表している。
【００５２】
このように構成された実施形態２の充填部材も、図９または図１０で説明したように地下貯水システム用の充填部材として敷設することができる。この際、実施形態１と同様に、複数個の充填部材を同じ向きで前後左右に隣接して敷設し、隣接する充填部材同士の連結用孔に図７で説明した連結具を差し込んで相互に連結することができる。また、下の充填部材に対して上の充填部材を９０°回転した状態で積み上げることができ、このとき、上の充填部材の第脚部１３０の底部１３０ａおよび第２脚部１３１の底部１３１ｂが、下の充填部材の上壁部１１０の４つの辺および一対の角部１１１に載る。
【００５３】
（実施形態３）
図１２は、図７で説明した連結具の変形例を示している。図７の連結具５０は係止部５１が内側へ折れ曲った内爪タイプであるが、図１２の連結具１５０は係止部１５１が外側へ折れ曲がった外爪タイプである。また、この連結具１５０の一対の係止部１５１の間には、一対の挟持片１５２が設けられている。
隣接する２つの充填部材の連結用孔４４、４４に、連結具１５０の一対の係止部１５１および一対の挟持片１５２を差し込むことにより、一対の挟持片１５２にて隣接した下壁部４０、４０を引き寄せ、かつ一対の係止部１５１が切欠き凹部に係合して抜け防止となり、隣接する２つの充填部材を強固に連結することができる。
【００５４】
（他の実施形態）
実施形態１では、周壁部２０の面取り部２２をフラットな面で構成した場合を例示したが、内側へ湾曲する面で構成してもよく、また、通水開口の数を減らして耐圧強度を高めるようにしてもよい。また、実施形態２では、周壁部１２０の面取り部１３１ａを内側へ湾曲する面で構成したが、フラットな面で構成してもよい。
【図面の簡単な説明】
【００５５】
【図１】本発明の充填部材の実施形態１の斜視図である。
【図２】図２（ａ）は図１の充填部材の平面図、図２（ｂ）は正面図、図２（ｃ）は底面図である。
【図３】実施形態１の充填部材を上下に組み立てた状態を示す図であって、図３（ａ）は正面図、図３（ｂ）は正面断面図である。
【図４】実施形態１の充填部材を上下に組み立てた状態を示す図であって、斜め横から見た断面図である。
【図５】実施形態１の充填部材を左右に並べて連結した状態を示す平面図である。
【図６】実施形態１の充填部材を左右に並べて連結した状態を示す正面断面図である。
【図７】図６の連結部分を示す拡大図である。
【図８】実施形態１の充填部材を積み重ねた状態をしめす正面図である。
【図９】実施形態の充填部材を用いた一時的に貯水するタイプの地下貯水システムを示す概略断面図である。
【図１０】実施形態の充填部材を用いた貯水を利用可能なタイプの地下貯水システムを示す概略断面図である。
【図１１】実施形態２の充填部材を示す平面図である。
【図１２】本発明における連結具の変形例を示す断面図である。
【符号の説明】
【００５６】
１０、１１０  上壁部
１１、１１１  角部
１２、１１２  面取り辺部
１３、２３  通水開口
１４  ランナーリブ
１５  リブ
１５ａ  突出部
２０、１２０  周壁部
２１、１２１  コーナー部
２２、１３１ａ  面取り部
３０  脚部
３１、１３０ａ、１３１ｂ  底部
３２  開口部
４０、１４０  下壁部
４１  突起部
４２  水平壁部
４３  切欠き部
４４、１４４  連結用孔
５０、１５０  連結具
５１、１５１  係止部
６０  透水性シート
６１  板材
６２  遮水性シート
１３０  第１脚部
１３１  第２脚部
Ｆ、Ｆ１、Ｆ２  充填部材
Ｇ  地面
Ｐ１  送水管
Ｐ２  取水管
Ｓ１、Ｓ２  地下貯水システム
θ1、θ2  テーパー角度
【図１】
2008223418.tif 000003
【図２】
2008223418.tif 000004
【図３】
2008223418.tif 000005
【図４】
2008223418.tif 000006
【図５】
2008223418.tif 000007
【図６】
2008223418.tif 000008
【図７】
2008223418.tif 000009
【図８】
2008223418.tif 000010
【図９】
2008223418.tif 000011
【図１０】
2008223418.tif 000012
【図１１】
2008223418.tif 000013
【図１２】
2008223418.tif 000014